(57)【要約】【課題】  木製大引を高さ調整可能に支持するための束金物を、精度良く位置決め保持させ、必要最小限の構成部品点数で簡単かつ確実に取付け固定できるように構成する。【解決手段】  木製大引２を高さ調整可能に支持する束金物１を、木製大引を下方から支持する支持部材１１と、前記支持部材を上端部に支える支持軸部１２と、前記支持部材上に突設され木製大引側に形成された被係合孔５に係合保持されるとともにその長手方向の一部に直交する方向を向いた嵌合孔１４を有する円筒状（または上向きコ字状）を呈する固定部材１３とを備える構成とする。そして、該木製大引の外方から前記被係合孔を貫通するように穿設した貫通孔６に対し１本の固定ピン１６を打ち込んで前記固定部材の嵌合孔に嵌合させることで、これらの部材を一体に固定する。【選択図】        図３
2010059691.tif 000002
【特許請求の範囲】
【請求項１】
木製大引を高さ調整可能に支持する束金物であって、
木製大引を下方から支持する支持部材と、
前記支持部材を上端部に支える支持軸部と、
前記支持部材上に突設され木製大引側に形成された被係合孔に係合保持されるとともにその長手方向の一部に直交する方向を向いた嵌合孔を有する固定部材と、
該木製大引の外方から打ち込まれることにより前記固定部材の嵌合孔に嵌合してこれらの部材を一体に固定する１本の固定ピンとを備えていることを特徴とする束金物。
【請求項２】
請求項１記載の束金物において、
前記固定部材と支持軸部とを同軸上に配置させたことを特徴とする束金物。
【請求項３】
請求項１または請求項２記載の束金物において、
前記支持部材は矩形板状を呈し、その一辺は、前記固定ピンの打込み方向に直交していることを特徴とする束金物。
【請求項４】
請求項１、請求項２または請求項３記載の束金物において、
前記固定部材と支持部材とが支持軸部上に一体的に固定されていることを特徴とする束金物。
【請求項５】
請求項１ないし請求項４のいずれか１項に記載の束金物において、
前記固定部材、支持軸部を、支持部材に対してかしめ付け固定したことを特徴とする束金物。
【発明の詳細な説明】
【技術分野】
【０００１】
本発明は、住宅などの建物において土間コンクリートと木製大引との間に設置され、木製大引を高さ調整可能に支える束金物に関する。
【背景技術】
【０００２】
この種の束金物は、土間コンクリート上に立設して設けられ、その上端部を木製大引に対して芯合わせした状態で組み合わせ、これらをねじ等で一体に連結固定するようになっている。
【０００３】
従来、木製大引を高さ調整可能に支持する束金物は、木製大引に対して位置決め固定するために、たとえばＬ字状の支持台を用い、該支持台に木製大引を載せ、これを位置決め保持させた状態で、複数本のねじ等で固定することが一般に行われてきた（例えば、特許文献１参照）。
【０００４】
【特許文献１】特開２００５−１５５２６１号公報
【発明の開示】
【発明が解決しようとする課題】
【０００５】
しかし、上述した従来の束金物では、大引と束金物とを芯を合わせて組み合わせるために、束金物の上端に設けたＬ字状の支持台の立ち上がり部分を基準として大引を支持台上に載せ、位置決めして保持させた状態で、大引を支持台の立ち上がり部分に複数本のねじでねじ止め固定することにより、これらを一体に固定しているために、以下のような不具合があった。
【０００６】
すなわち、大引を支持台上に載せ、大引の側面を支持台の立ち上がり部分に当接させて位置決めしながらねじ止めする構造であり、その作業が面倒かつ煩雑であった。
【０００７】
また、このような組立てでは、大引と束金物との芯出しを精度よく行えるとは言いにくいものであった。特に、このような従来の束金物では、使用する大引の太さによって支持台の立ち上がり部分の位置を変更する必要があり、汎用性に乏しいという問題もあった。
【０００８】
さらに、上述した従来の束金物では、大引に対して複数本のねじを用いて固定する構造であり、作業工数が多くなり、作業が面倒かつ煩雑で、作業性やコスト面からの問題があった。
【０００９】
本発明はこのような事情に鑑みてなされたものであり、木製大引を高さ調整可能に支持するための束金物を、簡単な操作で精度良く位置決めして保持させることができ、しかも必要最小限の構成部品点数で簡単かつ確実に取付け固定することができる束金物を得ることを目的とする。
【課題を解決するための手段】
【００１０】
このような目的に応えるために本発明（請求項１記載の発明）に係る束金物は、木製大引を高さ調整可能に支持する束金物であって、木製大引を下方から支持する支持部材と、前記支持部材を上端部に支える支持軸部と、前記支持部材上に突設され木製大引側に形成された被係合孔に係合保持されるとともにその長手方向の一部に直交する方向を向いた嵌合孔を有する固定部材と、該木製大引の外方から打ち込まれることにより前記固定部材の嵌合孔に嵌合してこれらの部材を一体的に固定する１本の固定ピンとを備えていることを特徴とする。
【００１１】
本発明（請求項２記載の発明）に係る束金物は、請求項１において、固定部材と支持軸部とを同軸上に配置させたことを特徴とする。
【００１２】
本発明（請求項３記載の発明）に係る束金物は、請求項１または請求項２において、支持部材は矩形板状を呈し、その一辺は、前記固定ピンの打込み方向に直交していることを特徴とする。
【００１３】
本発明（請求項４記載の発明）に係る束金物は、請求項１、請求項２または請求項３において、固定部材と支持部材とが支持軸部上に一体的に固定されていることを特徴とする。
【００１４】
本発明（請求項５記載の発明）に係る束金物は、請求項１ないし請求項４のいずれか１項において、固定部材、支持軸部を、支持部材に対してかしめ付け固定したことを特徴とする。
【発明の効果】
【００１５】
以上説明したように本発明に係る束金物によれば、支持部材上に突設した固定部材を木製大引側に設けた被係合孔に係合保持させることで、大引と束金物との芯を合わせて位置決めして組み合わせることが精度よく、しかも簡単かつ確実に行え、またこの状態で１本の固定ピンを打ち込んで両者を固定することにより両部材を一体に結合することが簡単に行えるものであり、その利点は大きい。
【００１６】
特に、本発明によれば、固定部材を被係合孔に係合させることで束金物の芯と大引の芯とを一致させた状態で位置決め保持する構造であり、異なる太さの大引に対しても精度よく結合することができるものであり、汎用性の面で優れている。
【００１７】
また、本発明によれば、簡単な構造であるにもかかわらず、必要最小限の部品点数で大引と束金物の結合を、簡単に行えるものであり、その利点は大きい。
【発明を実施するための最良の形態】
【００１８】
図１ないし図４は本発明に係る束金物の一実施形態を示す。
これらの図において、符号１で示す束金物は、住宅などの建物において土間コンクリートとなるベースコンクリート２と長尺な角柱形状を呈する木製大引３との間に設置され、木製大引３を高さ調整可能に支えるように構成されている。
【００１９】
ここで、束金物１は、図４に示すように、木製大引３の長手方向に所定間隔をおいて３箇所に配設されている。また、図４中、符号４は土間コンクリート２の所定箇所に立設され、束金物１の下端に設けられたベース部材（後述する）を固定するための束アンカーである。
【００２０】
さて、本発明によれば、束金物１を、木製大引３を高さ調節可能に支持する支持部材１１と、この支持部材１１を上端部に支える支持軸部１２と、前記支持部材１１上に突設され木製大引３側に形成された被係合孔５に係合保持されるとともにその長手方向の一部に直交する方向を向いた嵌合孔１４を有する円筒状の固定部材１３と、該木製大引３の外方から前記被係合孔５を貫通するように予め穿設した貫通孔６に対し打ち込まれることにより前記固定部材１３の嵌合孔１４に嵌合してこれらの部材１，３を一体的に固定する１本の固定ピンであるドリフトピン１６とを備えている。
【００２１】
ここで、束金物１において、固定部材１３と支持軸部１２とは、同軸上に配置されるように位置付けられ、前記支持部材１１に一体的に固定されている。
【００２２】
そして、このような固定部材１３を用いることにより、束金物１を、その芯と木製大引３の芯とを精度よく位置決めした状態で組付け保持することが、きわめて簡単に行えるものであり、また大引３の太さに制限されずに、どのような太さの大引３であっても、精度よく位置決めした状態で組付け保持することができるのである。
【００２３】
また、上述した組付け状態において、大引３の側方から貫通孔６、さらに被係合孔５に係合している円筒状の固定部材１３の嵌合孔１４に対して固定ピンであるドリフトピン１６を打ち込むことにより、簡単な作業で、しかも確実な結合状態を得ることができるのである。
【００２４】
ここで、束金物１の支持部材１１は、図３に示すように、矩形板状を呈する形状で形成され、その一辺を、前記固定ピンであるドリフトピン１６の打ち込み方向に直交する基準面として利用するように構成している。これは、円筒状の固定部材１３を、大引３の被係合孔５に係合させた状態では、束金物１と大引３との回転方向の位置が決まらないため、側方からのドリフトピン１６の打ち込み方向を特定するためである。
【００２５】
また、前記支持軸部１２の下端には、土間コンクリート２側に固定されるベース部材１７が設けられている。
なお、これらの支持軸部１２やベース部材１７の構造は、従来から周知の構造をもつものであり、ここでの詳細な説明は省略する。要は、大引３を高さ調整可能に支持し得る構造であればよい。
【００２６】
ここで、上述した固定部材１３、支持部材１１、支持軸部１２等の構造としては、種々の構造が考えられるが、要は、固定部材１３と支持部材１１とを、支持軸部１２上に一体的に固定すればよい。
たとえば、図５に示すように、円筒状の固定部材１３と支持軸部１２の上部筒部１２ａを一体に形成し、その中央部分を支持部材１１を構成する板状フレームの孔部１１ａを貫通させた状態で、かしめ、または溶接、その他の固定手段で一体に固定すればよいものである。
【００２７】
また、上述した円筒状の固定部材１３の支持部材１１への固定手段としても、たとえば図６に示すように、円筒状固定部材１３の下端部１３ａをかしめ等で支持部材１１を構成する板状フレームの孔部１１ａに固定することで、支持部材１１上に固定部材１３を立設するように構成する等、種々の変形例が考えられる。
【００２８】
図７ないし図９は本発明の別の実施形態を示すものであり、この実施形態では、前述した円筒状の固定部材１３の代わりに、支持部材１１上に、図９等から明らかなように、上向きコ字状を呈する板材２０を設けることで、２片の固定片２１，２２を支持部材１１上に立設し、これらを木製大引３の対応箇所に予め形成したスリット状の被係合溝８，９に係合させることにより、束金物１を前記大引３に対し所定の状態で位置決めして保持することができるように構成している。
【００２９】
この場合、固定片２１，２２によって構成される中心軸位置が、前記支持軸部１２と同軸上に位置するように構成すればよい。
また、これらの固定片２１，２２には、大引３の側方から打ち込まれるドリフトピン１６が嵌合する嵌合孔２１ａ，２２ａを設けておくことも言うまでもない。
【００３０】
そして、以上の構成によっても、大引３の被係合溝８，９に固定片２１，２２を係合させることで、束金物１を大引３に対して精度よく位置決めし、その状態で保持させることができるもので、上述した実施形態と同様の作用効果を奏するものである。
【００３１】
さらに、この実施形態では、２片の固定片２１，２２をそれぞれスリット状の被係合溝８，９に係合させる構造であるから、束金物１と大引３とを回転方向においても組付け固定できるから、ドリフトピン１６の打ち込み方向が簡単に決まるといった利点もある。
【００３２】
上述した実施形態での束金物１のフレーム構造としては、たとえば図１０に示すようなものが考えられる。この例では、支持部材１１を構成する板状フレームの中央部分にくぼみを凹設し、その部分に固定片２１，２２を構成するコ字状板材２０の基部を載せて支持軸部１２の上端部にかしめ、溶接などで一体に固定することにより、これらの部材を一体に固定すればよいものである。
【００３３】
なお、本発明は上述した実施の形態で説明した構造には限定されず、束金物１を構成する各部の形状、構造等を適宜変形、変更し得ることはいうまでもない。
たとえば束金物１において、本発明を特徴づける支持部材１１、固定部材１３以外の部分は、従来から周知の構造をもつものであればよく、要はねじ軸と調整筒部の内ねじとの螺合部等によって、木製大引３を高さ調整可能に支持し得る構造であればよい。
【図面の簡単な説明】
【００３４】
【図１】本発明に係る束金物の一実施形態を示し、要部となる大引との接合部を拡大して示す概略側面図である。
【図２】図１を側方から見た概略側面図である。
【図３】本発明に係る束金物を示す全体の概略斜視図である。
【図４】本発明に係る束金物の使用状態を説明するための概略図である。
【図５】本発明に係る束金物において、フレーム構造を一例を示す図である。
【図６】本発明に係る束金物において、円筒状固定部材の支持部材への固定状態の一例を示す図である。
【図７】本発明に係る束金物の別の実施形態を示す概略側面図である。
【図８】図７を側方から見た概略側面図である。
【図９】図７、図８の実施形態での束金物の要部を示す概略斜視図である。
【図１０】図９の束金物の全体を示す概略構成図である。
【符号の説明】
【００３５】
１…束金物、２…土間コンクリート（ベースコンクリート）、３…木製大引、４…束アンカー、５…被係合孔、６…貫通孔、８，９…スリット状被係合溝、１１…支持部材、１２…支持軸部、１３…固定部材、１４…嵌合孔、１６…固定ピン（ドリフトピン）、２０…コ字状板材、２１，２２…固定片、２１ａ，２２ａ…嵌合孔。
【図１】
2010059691.tif 000003
【図２】
2010059691.tif 000004
【図３】
2010059691.tif 000005
【図４】
2010059691.tif 000006
【図５】
2010059691.tif 000007
【図６】
2010059691.tif 000008
【図７】
2010059691.tif 000009
【図８】
2010059691.tif 000010
【図９】
2010059691.tif 000011
【図１０】
2010059691.tif 000012